(57)【要約】【課題】無駄なく確実に乾燥対象物が乾燥したことを検知して、乾燥を終了する省エネルギー効果の高い乾燥室を提供すること。【解決手段】乾燥対象物１２に無線ＩＣタグ１１を貼付して、記憶手段１４に予め記憶していたデータと比較手段１５で比較して同じデータが読めるようになるまで乾燥促進手段１６により乾燥を継続し、同じデータが読み出せた時点で乾燥を終了させるようにした。【選択図】図１
2006057881.tif 000002
【特許請求の範囲】
【請求項１】
乾燥対象物に貼付された無線ＩＣタグから過去に読み取ったデータを記憶する記憶手段と、前記無線ＩＣタグからデータを読み取る読取手段と、前記読取手段で読み取ったデータを前記記憶手段のデータと比較する比較手段と、前記比較手段で比較した結果に応じて前記乾燥対象物の乾燥を促進させる乾燥促進手段とを具備したことを特徴とする乾燥室。
【請求項２】
無線ＩＣタグのデータを読み取る読取手段を具備した洗濯装置または洗濯物保管ケースから、データを受け取って記憶手段に記憶させることを特徴とする請求項１記載の乾燥室。
【請求項３】
乾燥対象物の乾きにくい部分に無線ＩＣタグを貼付して、前記無線ＩＣタグからデータが読み出せた時点で乾燥を終了させることを特徴とする請求項１記載の乾燥室。
【請求項４】
乾燥室を外部と電波シールドしたことを特徴とする請求項１記載の乾燥室。
【請求項５】
無線ＩＣタグのデータに乾燥最高温度を含み、前記乾燥最高温度を超えない範囲で乾燥させることを特徴とする請求項１記載の乾燥室。
【請求項６】
２つ以上の無線ＩＣタグが存在し、それぞれのデータに乾燥最高温度を含み、前記乾燥最高温度の中で最も低い温度を超えない範囲で乾燥させることを特徴とする請求項１記載の乾燥室。
【請求項７】
少なくとも２つ以上の無線ＩＣタグを、乾きやすい部分と乾きにくい部分にそれぞれ貼付して、前記乾きやすい部分に貼付された前記無線ＩＣタグからデータが読み出せた時点で乾燥を終了させることを特徴とする請求項１記載の乾燥室。
【請求項８】
無線ＩＣタグを貼付した乾燥対象物が複数存在し、少なくとも前記乾燥対象物の中から一定割合以上の無線ＩＣタグのデータが読み出せた時点で乾燥を終了させることを特徴とする請求項１記載の乾燥室。
【請求項９】
報知手段を具備し、乾燥を終了するとともに、前記報知手段で報知することを特徴とする請求項１〜８のいずれか１項記載の乾燥室。
【請求項１０】
２．４５ＧＨｚ付近の周波数帯を用いる無線ＩＣタグを使用したことを特徴とする請求項１〜９のいずれか１項記載の乾燥室。
【請求項１１】
請求項１〜９いずれか１項記載の乾燥室の手段の少なくとも一つをコンピュータに実行させるためのプログラム。
【発明の詳細な説明】
【技術分野】
【０００１】
本発明は、電池を必要としないパッシブ型無線ＩＣタグを用いて、洗濯した衣類などの乾燥対象物が乾燥したかどうかを検出する乾燥室に関するものである。
【背景技術】
【０００２】
浴室などを用いた乾燥室において、衣類などの乾燥度合いを検知して乾燥制御を行うことは、既に省エネルギーの観点から行われており、特許文献１に示すように温度と湿度の関係から乾燥度合いを推定するものが存在する。
【特許文献１】特開平５−１０６６９号公報
【発明の開示】
【発明が解決しようとする課題】
【０００３】
しかしながら、この方法では複数の衣類などの乾燥対象物をひとつの固まりとして検知するため、個々の乾燥対象物の乾燥状態が把握できるわけではない。ハンカチのように乾きやすいものもあればジーンズのポケットのように非常に乾きにくいものもある。この方法では一部に残っている乾燥していない部分を検知することは非常に困難である。例えば、乾燥室で乾燥させたものの乾ききらず、ポケットが湿ったままのジーンズを身に着けなければいけないような不愉快な場面に出会うことも多い。
【課題を解決するための手段】
【０００４】
そこで、前記従来の課題を解決するために、本発明の乾燥室は、衣類などの乾燥対象物に無線ＩＣタグをそれぞれ貼付する。そして、濡れた乾燥対象物に貼付されているとデータが読み出せず、乾燥した乾燥対象物に貼付されているとデータが読み出せるという無線ＩＣタグの特性を利用している。
【０００５】
すなわち、衣類などの乾燥対象物に貼付された無線ＩＣタグから例えば洗濯前の乾燥状態時に予めデータを読み取っておき、そのデータを記憶手段に記憶する。次に洗濯後の乾燥期間において、乾燥室に設置されている無線ＩＣタグ読取手段で無線ＩＣタグより順次データを読み出し、前記予め読み取っておいた記憶手段のデータと比較手段で比較する。乾燥対象物が完全に乾燥して前記予め読み取っておいた記憶手段のデータと同じデータが読み出せるようになるまで乾燥を継続し、同じデータが読み出せるようになった時点で乾燥を終了させるようにした。
【発明の効果】
【０００６】
本発明の乾燥室は、個々の衣類など乾燥対象物に貼付された無線ＩＣタグからデータを読み出せるかどうかを乾燥の判断基準にしている。乾燥対象物に非接触で個々の乾燥状態が把握でき、全ての乾燥対象物が乾燥した時点で速やかに乾燥を終了させることが出来る。
【０００７】
したがって、乾いているにもかかわらず更にエネルギを費やして乾燥を続けるような無駄も生じない、個々の乾燥状態が把握できているので乾燥していない衣類があるにも関わらず乾燥を終了させてしまうこともない。
【０００８】
すなわち、省エネルギを実現し、無駄なく確実に衣類などの乾燥対象物を乾燥させる乾燥室を提供できる。
【発明を実施するための最良の形態】
【０００９】
第１の発明は、乾燥対象物に貼付された無線ＩＣタグから過去に読み取ったデータを記憶する記憶手段と、前記無線ＩＣタグからデータを読み取る読取手段と、前記読取手段で読み取ったデータを前記記憶手段のデータと比較する比較手段と、前記乾燥対象物の乾燥を促進させる乾燥促進手段とを具備した乾燥室である。
【００１０】
そして、予め記憶しておいた無線ＩＣタグのデータがすべて読み出し可能となった時点で、すべての乾燥対象物が乾燥したことを意味している。すべての乾燥対象物に対して、乾燥を継続しながら、非接触で乾燥したことが把握できるので、無駄なく確実に衣類などの乾燥対象物を乾燥させる乾燥室を提供できる。
【００１１】
第２の発明は、特に第１の発明の乾燥室において、無線ＩＣタグのデータを読み取る読取手段を具備した洗濯装置または洗濯物保管ケースから、データを受け取って記憶手段に記憶させている。
【００１２】
そして、洗濯物保管ケースから洗濯装置に移して洗濯を行う時点で無線ＩＣタグを介して洗濯物の種類がすべて把握できており、そのデータがそのまま乾燥室の記憶手段にて記憶される。洗濯が終わった洗濯装置から取り出した乾燥対象物をそのまま乾燥室に持ち込み乾燥させると、すべての乾燥対象物が乾いた時点で乾燥を終了させることが可能となり、無駄なく確実に衣類などの乾燥対象物を乾燥させる乾燥室を提供できる。
【００１３】
第３の発明は、特に第１の発明の乾燥室において、乾燥対象物の乾きにくい部分に無線ＩＣタグを貼付して、前記無線ＩＣタグからデータが読み出せた時点で乾燥を終了させる。
【００１４】
そして、ジーンズのポケットのような乾きにくい部分に無線ＩＣタグを貼付した乾燥対象物を含めて乾燥させる。実際にはハンカチのように乾きやすいものもあればジーンズのポケットのように非常に乾きにくいものもある。そこで、乾きにくい部分の乾燥度合いを検知しておくことで、すべての乾燥対象物が乾燥したことがより確実に検知できる。乾燥室で乾燥させたものの乾ききらずポケットが湿ったままのジーンズを身に着けなければいけないような不愉快な場面を回避できる乾燥室を提供できる。
【００１５】
第４の発明は、特に第１の発明の乾燥室において、乾燥室を外部と電波シールドしたので、物理的に乾燥室内にだけに存在する無線ＩＣタグだけからデータを読み出すことができ、乾燥室の中にある無線ＩＣタグであるのか否かという判定が不要となる。
【００１６】
第５の発明は、特に第１の発明の乾燥室において、無線ＩＣタグのデータに乾燥最高温度を含み、前記乾燥最高温度を超えない範囲で乾燥させるので、乾燥対象物に熱的なダメージを与えることなく、可能な限り高い温度で短時間で乾燥させることが可能となる。
【００１７】
第６の発明は、特に第１の発明の乾燥室において、２つ以上の無線ＩＣタグが存在し、それぞれのデータに乾燥最高温度を含み、前記乾燥最高温度の中で最も低い温度を超えない範囲で乾燥させるので、複数の乾燥対象物が存在した場合でも、すべての乾燥対象物に熱的なダメージを与えることなく、可能な限り高い温度で短時間で乾燥させることが可能となる。
【００１８】
第７の発明は、特に第１の発明の乾燥室において、少なくとも２つ以上の無線ＩＣタグを、乾きやすい部分と乾きにくい部分にそれぞれ貼付して、前記乾きやすい部分に貼付された前記無線ＩＣタグからデータが読み出せた時点で乾燥を終了させるので、意図的に生乾き状態で乾燥を中止させることが可能となる。カッターシャツなどのように生乾きにしておいて最後にアイロンをあてたいといったことが可能となる。
【００１９】
第８の発明は、特に第１の発明の乾燥室において、無線ＩＣタグを貼付した乾燥対象物が複数存在し、少なくとも前記乾燥対象物の中から一定割合以上の無線ＩＣタグのデータが読み出せた時点で乾燥を終了させるので、省エネルギのため最後は余熱乾燥させたいといった場合に有効である。
【００２０】
第９の発明は、特に第１の発明の乾燥室において、報知手段を具備し、乾燥を終了するとともに、前記報知手段で報知するので、続けて乾燥を行いたい場合などに乾燥室の使用効率を向上させることが出来る。
【００２１】
第１０の発明は、特に第１の発明の乾燥室において、２．４５ＧＨｚ付近の周波数帯を用いる無線ＩＣタグを使用したので、周波数帯域の低い無線ＩＣタグよりも更に湿度、水分の影響を受けやすく、乾燥対象物が少しでも濡れている時にはデータは読み取れなくなるので確実な乾燥検出が可能となる。
【００２２】
第１１の発明は、第１〜９のいずれかの乾燥室の手段の少なくとも一つをコンピュータに実行させるためのプログラムであり、ＣＰＵ（マイコン）、ＲＡＭ、ＲＯＭ、記憶装置、Ｉ／Ｏなどを備えた電気情報機器、コンピュータ等のハードリソースを協働させて本発明の乾燥室の手段の一部をプログラムとして容易に実現することができる。また記録媒体に記録したり通信回線を用いてプログラム配信することにより、プログラム配布が他の手段に比べて極めて簡単に実現できる。
【００２３】
以下、本発明の実施の形態について、図面を用いて一実施形態について詳細に説明する。なお、この実施の形態によって本発明が限定されるものではない。
【００２４】
（実施の形態１）
図１は第１の発明の乾燥対象物１２に貼付された無線ＩＣタグ１１から過去に読み取ったデータを記憶する記憶手段１４と、前記無線ＩＣタグ１１からデータを読み取る読取手段１３と、前記読取手段１３で読み取ったデータを前記記憶手段１４のデータと比較する比較手段１５と、前記乾燥対象物の乾燥を促進させる乾燥促進手段１６とを具備した乾燥室１７の一例を示す図である。
【００２５】
乾燥対象物１２が濡れていると無線ＩＣタグ１１のデータを読取手段１３が読み取ることは出来ない。すなわち、記録手段１４の内容を比較手段１５で比較すると、読み取れないデータが存在することが判明したとする。そして、乾燥状態でない乾燥対象物１２が存在するので乾燥促進手段１６で乾燥を継続する。
【００２６】
乾燥対象物１２が乾燥すると無線ＩＣタグ１１のデータを読取手段１３が読み取ることは出来る。すなわち、記録手段１４の内容を比較手段１５で比較すると、読み取れないデータが存在しないことが判明する。これにより乾燥促進手段１６にて乾燥を終了する。
無線ＩＣタグ１１が２個以上存在しても読取手段１３でデータを読み取ることが可能である。また、記憶手段１４は２つ以上のデータを記憶可能である。さらに、比較手段１５は２つ以上のデータを順に比較することが可能であるため、乾燥対象物１２や無線ＩＣタグ１１は２つ以上あっても構わない。
【００２７】
なお、乾燥室１４は必ずしも壁に囲まれている必要はない。乾燥促進手段１６は電熱器やガスヒータであっても構わない。
【００２８】
図２は、実施の形態１の乾燥室を用いた作業フローの一例を示した図である。
【００２９】
Ｓ４０において、乾燥しているうちに予め洗濯物の無線ＩＣタグよりデータを読み取り記憶手段１４に記憶させておく。この後、Ｓ４１にて洗濯を行い、次にＳ４２にて乾燥開始する。
【００３０】
Ｓ４３で洗濯物の無線ＩＣタグからデータ読み取るが、最初のうちは洗濯物が濡れているので無線ＩＣタグからはデータを読み出せず、Ｓ４４にて記憶済みデータと比較するがすべてのデータが読み取れていないゆえ、Ｓ４３の動作から繰り返す。
【００３１】
乾燥が進み洗濯物が乾き、Ｓ４３において無線ＩＣタグからデータがすべて読み出せるようになった時点で、Ｓ４４にてすべての記録済みデータと比較して、同じデータが読み出せたことがわかるのでＳ４５において乾燥を完了する。
【００３２】
このように無線ＩＣタグのデータを比較し、すべてのデータが読み出せた時点で乾燥が完了したことを把握し、可及的速やかに乾燥を終了できる。
【００３３】
（実施の形態２）
図３は実施の形態２において、洗濯装置１８に読取手段１３Ａを具備し、前記読取手段１３Ａで乾燥対象物としての洗濯物１２Ａ、１２Ｂ、１２Ｃ、１２Ｄに貼付された無線ＩＣタグ１１Ａ、１１Ｂ、１１Ｃ、１１Ｄからデータを読み取り、記憶手段１４に記憶させる乾燥室１７の一例を示す図である。
【００３４】
洗濯物１２Ａ、１２Ｂ、１２Ｃ、１２Ｄが乾いているときに無線ＩＣタグ１１Ａ、１１Ｂ、１１Ｃ、１１Ｄからデータを読み取り、洗濯対象つまり乾燥対象のデータをすべて記憶手段１４に記憶させる。これにより乾燥したか否かを検証する対象が明確になる。
【００３５】
なお、１８は洗濯装置に限らず、洗濯物保管ケースの場合もある。また、１８については形状や機能には拘らない。読取装置１３Ａが１８と同一筐体ではなく、数十センチ程度離れた場所に設置されていてもデータが読める範囲であれば構わない。
【００３６】
（実施の形態３）
図４は、実施の形態３において、乾燥対象物の最も乾きにくい部分に無線ＩＣタグを貼付して、前記無線ＩＣタグからデータが読み出せた時点で乾燥を終了させる乾燥室１７の一例を示す図である。
【００３７】
ジーンズ１２Ｇのポケットのような乾きにくい部分に無線ＩＣタグ１１Ｇを貼付した乾燥対象物を含めて乾燥させる乾燥室１７の一例を示す図である。
【００３８】
図において、洗濯物１２Ｅ、１２Ｆは乾きやすい乾燥対象物（例えばハンカチ）を示し、洗濯物１２Ｇは乾きにくい乾燥対象物（例えばジーンズ）を示し、無線ＩＣタグ１１Ｇは最も乾きにくい、例えばジーンズのポケットの中に貼付されている。
【００３９】
このような状態では洗濯物１２Ｅ、１２Ｆが完全に乾いた後も、洗濯物１２Ｇの乾燥には時間がかかり、無線ＩＣタグ１１Ｇ付近が乾燥するまでデータが読みだせないため乾燥を継続する。無線ＩＣタグ１１Ｇ付近が乾燥するとデータ読み出しが可能となり、乾燥を終了することが出来る。乾きにくい乾燥対象物としてはジーンズに限らず、厚い布地で作られているような衣類や毛布のようなものであっても構わない。
【００４０】
（実施の形態４）
図５は、実施の形態４において、外部と電波シールドした乾燥室１７の一例を示す図である。読取手段１３はあらゆる無線ＩＣタグからデータを読み取ることが出来るので、電波シールドをしないと乾燥室１７の外部にある無線ＩＣタグからもデータを読み取ってしまうことがある。
【００４１】
図において無線ＩＣタグ１１Ｘは乾燥室外にあり電波シールド効果により、読取手段１３からデータを読み出すことが出来ない。乾燥室１７を外部と電波シールドすることにより、乾燥室１７内に存在する無線ＩＣタグだけからデータを読み取ることが出来るので処理が簡略になる。このような電波シールドがない場合には読み込み可能な無線ＩＣタグの中から乾燥室内にある物かどうかを判断する必要があり、処理が煩雑になってしまう恐れがある。
【００４２】
（実施の形態５）
図６は、実施の形態５において、無線ＩＣタグのデータ３０に乾燥最高温度を含み、前記乾燥最高温度を超えない範囲で乾燥させる乾燥室１７の一例を示したものである。図６において、無線ＩＣタグのデータ構造の一例を示した図である。
【００４３】
データには固有なＩＤ、衣類などの種別、産地、素材などの情報だけでなく、洗濯や乾燥に必要な情報が含まれている。その中に乾燥最高温度（図６中３１）が含まれているので、乾燥促進手段１６でその温度を超えないように制御することにより、可能な限り早く短時間に、しかも衣類を傷めずに乾燥させることが可能となる。
【００４４】
複数の無線ＩＣタグが存在して、それぞれの値が異なる場合には、最も低い温度に合わせる。これにより、乾燥最高温度の低い乾燥対象物に熱的ダメージを与えない温度範囲で最も早く短時間に乾燥可能となる。
【００４５】
なお、図６はデータの一例であってこれ以外の情報を含めても良いし、またこの情報を全て含んでいなくとも良い。
【００４６】
（実施の形態６）
図７は、実施の形態６において、少なくとも２つ以上の無線ＩＣタグ１１Ｈ、１１Ｇを、乾きやすい部分と乾きにくい部分にそれぞれ貼付して、乾きやすい部分に貼付された無線ＩＣタグ１１Ｈからデータが読み出せた時点で乾燥を終了させる乾燥室１７の一例を示す図である。
【００４７】
図７で示すようにカッターシャツの脇の下のように乾きにくい部分と、胴回りなどの乾きやすいような部分にそれぞれ無線ＩＣタグ１１Ｈ、１１Ｇに貼付する。乾きにくい部分の１１Ｇからはデータが読めないが、乾きやすい部分の１１Ｈからデータが読み出せた時点で乾燥を終了させると意図的に生乾き状態とすることが出来る。カッターシャツのように生乾きで乾燥を中断して、アイロンを掛けたい場合に有用である。
【００４８】
（実施の形態７）
図８は、実施の形態７において、無線ＩＣタグ１１Ｉ、１１Ｊ、１１Ｋ、１１Ｌを貼付した乾燥対象物１２Ｉ、１２Ｊ、１２Ｋ、１２Ｌが複数存在し、乾燥対象物１２Ｉ、１２Ｊ、１２Ｋ、１２Ｌの中から一定割合以上の無線ＩＣタグのデータが読み出せた時点で乾燥を終了させる乾燥室１７の一例を示す図である。
【００４９】
図８において、無線ＩＣタグ１１Ｉ、１１Ｊのデータが読み出し可能、無線ＩＣタグ１１Ｋ、１１Ｌのデータが読み出しできないという状態を表しており、比較手段１５において記憶手段１４に記憶されたデータと比較して、例えば半分以上が読み出し可能となった時に乾燥を終了させるといったことが可能となる。省エネルギーを考慮して完全に乾かさなくても余熱を利用すれば乾燥出来るという状況の時に有用である。
【００５０】
（実施の形態８）
図９は、実施の形態８において、報知手段１９を具備し、乾燥を終了するとともに、報知手段１９で報知する乾燥室１７の一例を示す図である。
【００５１】
図９において、比較手段１５で乾燥促進手段１６に乾燥終了の指令を出すと同時に報知手段１９に報知指令を出す。これにより乾燥が終了したことを迅速に報知するので、乾燥室１７にて別の乾燥対象物を続けて乾燥させたい場合などに乾燥室の使用効率を向上させることが出来る。
【００５２】
なお、日本で無線ＩＣタグとして使える周波数のうち、最も周波数帯の高いマイクロ波領域である２．５４ＧＨｚの無線ＩＣタグは他の周波数帯の無線ＩＣタグよりも水の影響を受けやすく、湿度や水分のより敏感に反応するので、本発明の用途に用いるのに最も適している。
【００５３】
また、本実施の形態では非常に限られた用途だけを例として用いているが、乾燥を要する対象物であれば基本的に第１〜第１０で説明した発明は適用可能であり、いずれの場合にも特有の効果を有するものである。
【００５４】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５５】
以上のように、本発明においては、非接触で個々の乾燥状態が把握し、全て（あるいは一定の割合以上）の乾燥対象物が乾燥した時点で速やかに乾燥を終了させることが出来る。省エネルギを実現し、無駄なく確実に衣類などの乾燥対象物を乾燥させる乾燥室を提供できる。
【図面の簡単な説明】
【００５６】
【図１】本発明の実施の形態１の乾燥室の構成一例図
【図２】本発明の実施の形態１の乾燥室の動作フローの一例図
【図３】本発明の実施の形態２の洗濯装置と乾燥室の構成一例図
【図４】本発明の実施の形態３の乾燥室の構成一例図
【図５】本発明の実施の形態４の乾燥室の構成一例図
【図６】本発明の実施の形態５の無線ＩＣタグからのデータ構成の一例図
【図７】本発明の実施の形態６の乾燥室の構成一例図
【図８】本発明の実施の形態７の乾燥室の構成一例図
【図９】本発明の実施の形態８の乾燥室の構成一例図
【符号の説明】
【００５７】
１１  無線ＩＣタグ
１２  乾燥対象物
１３  読取手段
１４  記憶手段
１５  比較手段
１６  乾燥促進手段
１７  乾燥室
１８  洗濯装置
１９  報知手段
【図１】
2006057881.tif 000003
【図２】
2006057881.tif 000004
【図３】
2006057881.tif 000005
【図４】
2006057881.tif 000006
【図５】
2006057881.tif 000007
【図６】
2006057881.tif 000008
【図７】
2006057881.tif 000009
【図８】
2006057881.tif 000010
【図９】
2006057881.tif 000011